(57)【特許請求の範囲】
【請求項１】
互いに重ね合わされて配置された、少なくとも１つの色遷移効果生成干渉素子（Ｉ）、反射性金属層（Ｒ）及び磁気特性をもつ層（Ｍ）を有してなる、物体、特に、銀行券、クレジットカード等といった有価印刷物（３００）のためのセキュリティ素子（１，２００）において、前記干渉素子（Ｉ）が多層干渉素子であり、前記反射性金属層（Ｒ）が前記磁気特性をもつ層（Ｍ）と前記多層干渉素子（Ｉ）の間に配置されており、
前記磁気特性をもつ層（Ｍ）及び前記反射性金属層（Ｒ）がシンボルまたはパターンまたはコードの形態の空隙（１０，２０）を有することを特徴とするセキュリティ素子。
【請求項２】
前記磁気特性をもつ層（Ｍ）の前記空隙（１０）が前記反射性金属層（Ｒ）の前記空隙（２０）より大きく、機械読取可能なコード（１１）を形成していることを特徴とする請求項１に記載のセキュリティ素子。
【請求項３】
回折構造を有することを特徴とする請求項１または２記載のセキュリティ素子。
【請求項４】
上に前記多層干渉素子（Ｉ）、前記反射性金属層（Ｒ）および前記磁気特性をもつ層（Ｍ）が存在する基板（Ｓ）を有することを特徴とする請求項３記載のセキュリティ素子。
【請求項５】
前記基板（Ｓ）に回折構造（２）が設けられていることを特徴とする請求項４に記載のセキュリティ素子。
【請求項６】
前記回折構造（２）が前記基板（Ｓ）の表面に型押しされていることを特徴とする請求項５に記載のセキュリティ素子。
【請求項７】
付加層が、前記基板（Ｓ）と前記磁気特性をもつ層（Ｍ）の間、前記磁気特性をもつ層（Ｍ）と前記反射性金属層（Ｒ）の間、または前記多層干渉素子の上面に配置されていることを特徴とする請求項４に記載のセキュリティ素子。
【請求項８】
前記回折構造（２）が前記付加層に一体化されていることを特徴とする請求項７に記載のセキュリティ素子。
【請求項９】
前記反射性金属層（Ｒ）が前記回折構造（２）に隣接していることを特徴とする請求項３から８のいずれか１項記載のセキュリティ素子。
【請求項１０】
前記多層干渉素子（Ｉ）が、前記回折構造に隣接した吸収体層（Ａ）を有することを特徴とする請求項３から８のいずれか１項記載のセキュリティ素子。
【請求項１１】
前記セキュリティ素子がセキュリティスレッド（２００）として形成されていることを特徴とする請求項１から１０のいずれか１項記載のセキュリティ素子。
【請求項１２】
前記セキュリティ素子が物体、特に有価印刷物に貼り付けるための面素子またはストライプとして形成されていることを特徴とする請求項１から１０のいずれか１項記載のセキュリティ素子。
【請求項１３】
前記セキュリティ素子が移載素子として形成されていることを特徴とする請求項１２に記載のセキュリティ素子。
【請求項１４】
請求項１から１３のいずれか１項記載のセキュリティ素子（１）を有することを特徴とする物体。
【請求項１５】
前記物体が有価印刷物（３００）であることを特徴とする請求項１４に記載の物体。
【請求項１６】
前記セキュリティ素子がセキュリティスレッド（２００）であることを特徴とする請求項１５に記載の物体。
【請求項１７】
前記セキュリティスレッド（２００）がウィンドウスレッドとして前記有価印刷物（３００）に埋め込まれていることを特徴とする請求項１６に記載の物体。
【請求項１８】
前記セキュリティ素子（１）が前記物体に付けられていることを特徴とする請求項１４または１５に記載の物体。
【請求項１９】
前記物体が銀行券（３００）であることを特徴とする請求項１４から１８のいずれか１項記載の物体。
【請求項２０】
請求項１から１３のいずれか１項記載のセキュリティ素子を作成する方法において、
−  基板（Ｓ）を提供する工程、及び
−  前記基板（Ｓ）を、少なくとも１つの多層干渉素子（Ｉ）、磁気特性をもつ層（Ｍ）及び反射性金属層（Ｒ）により、前記反射性金属層（Ｒ）が前記磁気特性をもつ層（Ｍ）と前記多層干渉素子（Ｉ）の間に配置されるようにコーティングする工程、
を含み、
前記多層干渉素子（Ｉ）、前記磁気特性をもつ層（Ｍ）および前記反射性金属層（Ｒ）を蒸着法を用いて作成することを特徴とする方法。
【請求項２１】
付加層を、前記基板（Ｓ）と前記磁気特性をもつ層（Ｍ）の間、前記磁気特性をもつ層（Ｍ）と前記反射性金属層（Ｒ）の間、または前記多層干渉素子の上面に配置することを特徴とする請求項２０に記載の方法。
【請求項２２】
回折構造（２）を、前記基板（Ｓ）または前記付加層の中または上面に配置することを特徴とする請求項２１に記載の方法。
【請求項２３】
前記回折構造（２）の配置を、型押しにより行なうことを特徴とする請求項２２に記載の方法。
【請求項２４】
前記多層干渉素子（Ｉ）、前記反射性金属層（Ｒ）および前記磁気特性をもつ層（Ｍ）を前記基板（Ｓ）の片面に被着することを特徴とする請求項２０から２３のいずれか１項記載の方法。
【請求項２５】
請求項１から１３のいずれか１項記載のセキュリティ素子を作成する方法において、
−  基板（Ｓ）を提供する工程、及び
−  前記基板（Ｓ）を、少なくとも１つの多層干渉素子（Ｉ）、磁気特性をもつ層（Ｍ）及び反射性金属層（Ｒ）により、前記反射性金属層（Ｒ）が前記磁気特性をもつ層（Ｍ）と前記多層干渉素子（Ｉ）の間に配置されるようにコーティングする工程、
を含み、
前記反射性金属層（Ｒ）及び前記磁気特性をもつ層（Ｍ）の部分的除去により、シンボル、パターンまたはコードの形態の空隙（１０、２０）をつくることを特徴とする方法。
【請求項２６】
前記多層干渉素子（Ｉ）が透明または半透明であり、前記磁気特性をもつ層（Ｍ）が前記反射性金属層（Ｒ）の前記空隙（２０）とは異なる機械読取可能なコード（１１）を形成するように、前記反射性金属層（Ｒ）から除去される部分より大きい部分が前記磁気特性をもつ層（Ｍ）から除去されることを特徴とする請求項２５に記載の方法。
【請求項２７】
請求項１から１３のいずれか１項記載のセキュリティ素子（１）をもつ物体を作成する方法において、前記セキュリティ素子（１）を請求項２０から２６の内の少なくとも１つに記載の方法にしたがって作成し、そのようにして作成された前記セキュリティ素子を物体に付けることを特徴とする方法。
【請求項２８】
請求項１から１３のいずれか１項記載のセキュリティ素子（１）をもつ物体を作成する方法において、前記セキュリティ素子を請求項２０から２６の内の少なくとも１つに記載の方法にしたがって作成し、そのようにして作成された前記セキュリティ素子（１）を紙に埋め込むことを特徴とする方法。
【請求項２９】
前記セキュリティ素子（１）をウィンドウスレッドの態様で前記紙に埋め込むことを特徴とする請求項２８に記載の方法。
【発明の詳細な説明】
【技術分野】
【０００１】
本発明は、全般的には物体のための、特には、例えば銀行券、クレジットカード等のような、有価印刷物のための、セキュリティ素子に関する。さらに、本発明はそのようなセキュリティ素子を装着した物体並びにそのようなセキュリティ素子及び物体を作成する方法に関する。そのような物体は以降の処理のための半完成製品、例えば未印刷銀行券用紙とすることもできる。
【背景技術】
【０００２】
物体の正規性を証明するため及び偽造物からの物体の弁別が可能であるため、複雑で、偽造を防止し、目視検査及び／または自動検査が可能なセキュリティ素子が提供されている。特に保護する価値のある物体は有価印刷物、特に、銀行券、小切手、小切手保証カード、クレジットカード、身分証明書、パスポート、入場券、公共輸送機関のための切符等である。
【０００３】
セキュリティ素子が複雑になるほど、またセキュリティ素子の作成が精巧になるほど、偽造防護性は強くなる。一部は隠され、したがって機械でしか読み取ることができず、すなわち付加的な装置の補助を受けなければ認識できないセキュリティ要素、一部は肉眼で見ることができ、よって目視検査が可能であるセキュリティ要素など、異なるいくつかのセキュリティ要素を１つのセキュリティ素子が併用していることが多い。１つのセキュリティ素子におけるいくつかのセキュリティ要素の併用は実現が必ずしも容易ではなく、時には、特定のセキュリティ要素が最適な効果をもはや発現できなくなる妥協をともなう。
【０００４】
例えば、特許文献１により、保全文書、銀行券及びクレジットカード用の、型押回折構造をもつ層と色遷移層とを組み合せた多層セキュリティ素子が既知である。ここで、色遷移効果とは、視角を変えると色が変化する効果を意味する。両セキュリティ要素のそれぞれが有効なコピー防止効果を提供し、目視検査を容易にする光学効果を有する。さらに、いずれのセキュリティ要素も多大な努力を払わなければ模造することができない。型押ホログラムの光学効果は、回折構造を反射性の背景の前面で見るときにおおむね高くなり、色遷移効果も、鏡のように反射する背景の前面で特に強く発揮される。したがって、特許文献１では、回折構造が設けられた層及び色遷移効果層を共通の反射性金属背景層と組み合せることが特に提案されている。この反射性金属背景層は、さらに第３の磁性セキュリティ要素がセキュリティ素子に統合されるように、磁気特性をさらに有することができる。
【０００５】
磁気特性をもつ反射性背景コーティングにともなう問題は、概して磁性材料の反射特性が劣ることである。しかし、許容できる反射特性をもつ背景コーティングでは磁気特性がそれほど顕著ではない。特許文献２には、セキュリティ素子として、色遷移効果層及びコバルト−ニッケル合金の磁性金属背景コーティングをもつ薄層構造が提案されている。そのような背景コーティングは、良好な磁気特性だけでなく許容できる反射特性も有するべきである。それにもかかわらず、反射特性は最適ではない。
【特許文献１】国際公開第０１／０３９４５Ａ１号パンフレット
【特許文献２】欧州特許第０３４１００２Ｂ１号明細書
【発明の開示】
【発明が解決しようとする課題】
【０００６】
本発明の課題は、最適化された色遷移効果、すなわち強い色遷移効果をもち、同時に最適化された磁気特性をもつ、改善された多層セキュリティ素子と、そのようなセキュリティ素子を備えた物体と、そのようなセキュリティ素子及び物体を作成する方法とを提案することである。
【課題を解決するための手段】
【０００７】
上記の課題は、独立特許請求項にしたがうセキュリティ素子並びに物体及び方法により、本発明にしたがって解決される。独立特許請求項に従属する特許請求項には、本発明の有利な実施形態及び発展形態が記載されている。
【０００８】
本発明にしたがえば、多層セキュリティ素子は、セキュリティ素子を様々な角度から見たときに色遷移効果を生じる干渉層構造と、磁気特性をもつ層とを有する。ここで、干渉層構造は多層干渉素子Ｉ及び反射層Ｒから構成されている。この場合、干渉素子、反射層及び磁気特性をもつ層は、反射層が干渉素子と磁気特性をもつ層の間に位置するように配置される。反射層は通常、反射性金属層である。
【０００９】
干渉素子は、一方を他方の上部に配置した吸収体層及び誘電体層により形成され、いくつかの吸収体層及び誘電体層を交互に重ね合せて配置することもできる。交互する吸収体層及び誘電体層の代わりに、屈折率が大きく異なる層を専用誘電体層に隣接させて配置し、色遷移効果を生じさせることもできる。しかし、色遷移効果がより良好に見えることから、吸収体層の使用が有利である。
【００１０】
色遷移効果をもつ光学干渉コーティングは、例えば、特許文献１，特許文献２，欧州特許第０３９５４１０Ｂ１号明細書及び米国特許第３８５８９７７号明細書に記載されているセキュリティ素子に関連して、広く知られている。これらの特殊な特性は視角が異なると異なる色効果を表すことである。層構造における層の種類及び数にしたがい、視角に依存して２、３、４またはそれより多くの色効果が生じ得る。そのような色遷移効果層の反射及び透過特性はいくつかの要因、詳細には、屈折率、吸収係数及び層厚に依存し、さらに層構造の層数にも依存する。
【００１１】
本発明にしたがえば、光学干渉素子のそれぞれの層並びに反射性金属層及び磁気特性をもつ層は、好ましくは蒸着により、基板に被着され、これらの層は相互に少なくとも部分的に重なり合う。この場合、反射性金属層が干渉素子に対する背景として有利な光学効果を示し得るように、反射性金属層が磁気特性をもつ層と干渉素子の間に配置されることが肝要である。
【００１２】
多層セキュリティ素子は、基板とともにまたは基板なしで、例えば箔押法により、物体に載置できる。基板なしの移載の場合には、多層セキュリティ素子が基板の片面上に作成され、この場合の層順は、基板／干渉素子／反射層／磁性層、または基板／磁性層／反射層／干渉素子とすることができる。セキュリティ素子が、例えば銀行券上のラベルとしてまたは銀行券のウインドウスレッドとして、基板とともに物体に貼り付けられるかまたは物体と一体化される場合には、磁性層は基板の裏面上に存在することもできる。
【００１３】
本発明にしたがって構成されたセキュリティ素子は、詳細には、反射層及び磁性層の局所的除去による陰刻または陽刻をもつ、別のセキュリティ要素と組み合せることができる。刻印は英数字を表すことが好ましいがこれには限定されない。本発明に関する限り、刻印は、表現され得るすべてのシンボル、パターンまたはコードとすることができる。あるいは、またはさらに、層が作成される基板上または基板内に、あるいは独立層、例えば型押ラッカー層上または層内に、回折構造が存在することができる。
【００１４】
干渉素子は透明または半透明であるから、磁性層及び反射層の局所的除去により、セキュリティ素子は個々の層の構成に依存して部分的に透明または半透明になる。半透明セキュリティ素子は、９０％未満、好ましくは８０％と２０％の間の光透過率を示す。例えば銀行券のセキュリティスレッドとして、そのような部分的に半透明なセキュリティ素子を用いると、入射光／透過光効果が得られる。これは、銀行券に埋め込まれたセキュリティスレッドのシンボル、パターン及びコードが入射光では認知できないが、透過光で見ると、暗い周囲に対して明るい領域として明瞭に見えるようになることを意味する。
【００１５】
本発明のセキュリティ素子は、さらなる色効果をつくりだす回折構造と併用するのに特に適している。回折構造は、例えば、格子構造、屈折パターン、反射、透過または体積ホログラムである。回折構造は、例えば、層を載せている基板、例えばプラスチックスレッドのキャリア材の型押しとして直接に存在するか、あるいは付加層に配することができる。付加層は、例えば、ラッカー層とすることができる。回折構造内で得られる色効果は型押レリーフ構造における光の回折に基づく。そのような回折構造は、反射性金属背景の前面にあるときに最も強い光学効果を発現する。本発明のセキュリティ素子は反射性金属層をすでに有し、したがって回折構造のための反射性金属背景としての機能を容易に果たすことができる。
【００１６】
金属反射層は、例えば、アルミニウム、銀、ニッケル、白金またはパラジウムからなることができ、アルミニウムまたは銀からなることが好ましい。いずれの材料も導電性であり、よってセキュリティ素子の電気伝導度を補助的なセキュリティ要素として考慮に入れることができる。
【発明を実施するための最良の形態】
【００１７】
以下で、例としてのみ、本発明を添付図面を参照して説明する。図に示される寸法比は、必ずしも現実に存在する寸法に対応するものではなく、主として明確さを向上させるものとして作用する。
【００１８】
個々の図面に対する技術的説明はそれぞれの図面に示される実施形態に限定されるものではなく、発明のアイデア全般を説明する役割を有する。
【００１９】
図１は本発明の基本的実施形態にしたがうセキュリティ素子１の層構造の断面を部分的に示す。色遷移効果をもつ層構造は、多層干渉素子Ｉ，磁気特性をもつ層Ｍ，及び干渉層Ｉと磁気特性をもつ層Ｍの間に配置された反射層Ｒを有する。そのようなセキュリティ素子１は物体上に付けられるか、あるいは、干渉層Ｉが目視で認知できるように、すなわち干渉層Ｉが観察者側を向くようにして物体に一体化される。
【００２０】
このことは、図２〜７の実施形態も含むすべての実施形態に当てはまる。さらにいかなる透明層または半透明層も、干渉素子Ｉの上面に、または中間層として問題なく設けることができる。
【００２１】
干渉素子Ｉも多層構造を有し、少なくとも２つの層、すなわち図１にしたがう実施形態における吸収体層Ａ及びその下の誘電体層Ｄを含む。色遷移効果を生じるときの、反射層及び干渉素子からなる干渉層構造内の個別の層の物理的効果は、当業者には既知の原理において、例えば欧州特許第０３９５４１０Ｂ１号明細書に説明されている。吸収体層Ａとしては一般に、厚さが好ましくは４ｎｍ〜２０ｎｍの、クロム、鉄、金またはチタンなどの金属材料の層が有用である。ニッケル−クロム−鉄のような合金も、バナジウム、パラジウムまたはモリブデンのような金属も、吸収体層用の材料として用いることができる。吸収体層に適する別の材料が例えば特許文献１に指定され、それらの材料には、例えば、ニッケル、コバルト、タングステン、ニオブ、アルミニウム、及び、金属フッ化物、金属酸化物、金属硫化物、金属窒化物、金属炭化物、金属リン化物、金属セレン化物、金属ケイ化物及びこれらの混合物のような金属化合物だけでなく、炭素、ゲルマニウム、サーメット、酸化鉄等もある。
【００２２】
誘電体層については主に、例えば、ＳｉＯ２，ＭｇＦ２，ＳｉＯｘ（１≦ｘ≦２）及びＡｌ２Ｏ３のような、屈折率ｎが低い（ｎ＜１.７）透明材料が考えられる。原理的に、蒸着が可能なほとんど全ての透明化合物が許容でき、したがって、特にＺｒＯ２，ＴｉＯ２及び酸化インジウムスズ（ＩＴＯ）のような屈折率がさらに高いコーティング材料も許容できる。別の適する誘電体層が、例えば特許文献１に指定されている。
【００２３】
誘電体層Ｄの層厚は通常、１００ｎｍ〜１０００ｎｍ，好ましくは２００ｎｍ〜５００ｎｍの範囲にある。
【００２４】
吸収体層Ａの代わりに誘電体層Ｄを用いることもでき、この場合は、隣接する誘電体層Ｄの屈折率が、明瞭な色遷移効果が生じるように、大きく異なっていなければならない。すなわち、一方がｎ＜１.７で他方がｎ＞１.７でなければならない。
【００２５】
反射層Ｒは銀またはアルミニウムまたは別の高反射性金属の金属層であることが好ましい。反射層Ｒは所望の色遷移効果に決定的に重要である。反射層Ｒの反射特性が優れているほど、色遷移効果が顕著になる。
【００２６】
磁気特性をもつ層Ｍは、ニッケル、鉄、コバルトからなる磁性金属層、またはこれらの金属からなる磁性合金層であるか、あるいは、これら金属の内の少なくとも１つが少なくとも２０重量％を占める、これらの金属の内の１つと別の材料を含む磁性合金層であることが好ましい。磁性層Ｍの磁気特性については自動検査に十分に顕著であり、磁性層Ｍの厚さは１０ｎｍと１０００ｎｍの間にあることが好ましい。磁性層Ｍの材料は、磁性層Ｍが所望の磁気特性を有するように選ぶことができる。特に、磁性層Ｍは、干渉素子Ｉに対する反射機能を全く有していないから、保磁力及び残留磁気特性を最適に調節することができる。磁性層Ｍは、セキュリティ素子の光学特性を損なうことなく、例えば、バーコードのようなコードとして存在することもできる。磁性層Ｍは反射層Ｒの背後に配置されるから観察者には見えない。したがって、セキュリティ素子の光学特性と磁気特性は、反射層Ｒの存在により互いに完全に分離される。
【００２７】
全ての層、Ａ，Ｄ，Ｒ，Ｍは、基板上に真空蒸着法を用いて作成されることが好ましい。なお、この基板はセキュリティ素子１のコンポーネントを形成することができるが、中間キャリアとしてしかはたらかず、セキュリティ素子が最終的に物体に貼り付けられるかまたは組み込まれるときには取り除かれる。様々な蒸着法のほとんどがこれらの層の作成に適しており、方法群の１つとして、蒸発ボートを用い、抵抗加熱による蒸着または誘導加熱による蒸着を行う物理蒸着（ＰＶＤ）法がある。しかし、電子ビーム蒸着、（ＤＣまたはＡＣ）スパッタリング及び電気アーク蒸着も可能である。さらに、蒸着は、化学気相成長（ＣＶＤ）法によるかあるいは反応性プラズマ中のスパッタリングまたはその他のいずれかのプラズマ活性化蒸着法により実施することもできる。蒸着法とは別に、可能であれば、層を印刷することもできる。この場合、適する印刷インクを使用して、磁性層を層構造内に配置することができる。
【００２８】
図２〜６に本発明のセキュリティ素子の可能な様々の層構造が示されており、基板Ｓは層順Ｉ−Ｒ−Ｍの中で様々な場所に配置される。本発明にしたがえば、基板Ｓを層Ｉ，Ｒ，Ｍの下または上に配置することができる（図２，３，４，６）。しかし、基板Ｓは反射層Ｒと磁性層Ｍの間に配置することもできる（図５）。基板が干渉素子Ｉの上に配置される場合（図４，６）には、色遷移効果の強さを低下させることのないように、基板Ｓが可能な限り透明であるかまたは少なくとも半透明であることが重要である。
【００２９】
本発明にしたがうセキュリティ素子においては、回折構造を、好ましくは基板Ｓに、特に適切に一体化することができるが、望ましければ、回折構造を独立層で形成することもできる。ここで、回折構造はセキュリティ素子全体にわたって延在することもできるし、部分領域にのみ存在することもできる。
【００３０】
図２，４，５及び６においては、回折構造２がキャリアホイルすなわち基板Ｓに型押しされている。この関係で一般に存在する回折像の視覚効果を強めるための金属コーティングは、反射層Ｒにより本発明のセキュリティ素子にすでに含まれており、したがって別途に設ける必要はない。図５に示されるように、反射層Ｒが回折構造２に直に接している場合に、反射ホログラムの最適な視覚効果が得られる。型押回折構造では基板Ｓのコーティングの前に型押しプロセスが実施されることが好ましい。しかし、図２に示されるように、磁性層Ｍが反射層Ｒと型押基板Ｓの間に配置される場合には、磁性層Ｍの厚さが増加するとともに光学品質が低下する。この場合には、回折構造を金属膜がコーティングされた基板表面に型押しすることが有利であり得る。
【００３１】
図４及び６に示されるように、どうであろうと、観察者に対して反射層Ｒが型押レリーフ構造２の背景を形成していれば、型押レリーフ構造を反射層Ｒから離すこともできる。しかし、反射層に接していない反射回折構造の光学効果は輝きが弱い。
【００３２】
基板に一体化されている回折構造の代わりに、回折構造は独立層として存在することもできる。図３は、基板と磁性層の間に、この場合はラッカー層Ｌである独立層が存在し、独立層に回折構造２が型押しされている、図２の層構造と同等の層構造を示す。あるいは、型押ラッカー層を層Ｍと層Ｒの間または層Ａの上面に配置することも可能である。
【００３３】
原理的に、干渉層Ｉ及び反射層Ｒからなる層単位に割り込まない限り、回折構造はいずれの層の間に配置することも、あるいは外層の外表面上に配置することもできる。ここで、回折構造は後続して被着される層に再現される。
【００３４】
本発明の好ましい実施形態にしたがう、セキュリティ素子に存在する反射性金属層Ｒは、透過光で見える刻印、パターンまたはコードを作成するために局所的に除去され、磁性層は、透過光効果を妨げないように同じ領域で除去されなければならない。そのようなセキュリティ素子の作成のため、透明または少なくとも半透明のプラスチックフィルムの全面に磁性層Ｍ及び反射層Ｒが蒸着される。磁性層Ｍ及び反射層Ｒには、既知の方法（洗い流し法、エッチング、放電加工等）を用いて、所望の文字、パターン及びコードの形態の空隙が配置される。洗い流し法が用いられることが好ましく、この方法では初めに、所望のパターンがキャリア材料上に洗い流し可能なインクで印刷される。次いで反射層及び磁性層の蒸着が行われる。洗い流すことで洗い流し可能なインクの上の層も除去され、よってその場所に空隙が形成される。シンボル及びパターンを作成するための数多くの方法が当業者には既知である。特に、例えば、磁性層Ｍの空隙の寸法が反射層Ｒのシンボル、パターン及びコードの寸法と異なることが要求される場合には、反射層Ｒ及び磁性層Ｍを個別に被着して、個別にエッチングするかまたは溶剤法で洗い流すことができる。
【００３５】
図４にしたがう層構造をもつセキュリティ素子において、例としてのみ、上記の空隙が図７及び８に示される。型押回折構造２をもつプラスチックフィルムの形態の基板Ｓ上に干渉素子Ｉが蒸着され、干渉素子Ｉに接して初めに反射層Ｒが蒸着され、次いで磁性層Ｍが蒸着される。反射層Ｒは、図８に見られるように、反復される刻印“ＰＬ”の形態の空隙２０を有する。磁気層Ｍの空隙１０は反射層Ｒの空隙２０より実質的に大きく、同じく図８に見られるように、磁気バーコード１１を形成する。コードは、実施形態に依存して、陽パターンまたは陰パターンで、すなわち磁性領域または空隙に見ることができる。
【００３６】
図８は、図７に示される断面をもつセキュリティスレッド２００の形態の数多くのセキュリティ素子１を作成するための中間製品１００を平面図で示す。文字“ＰＬ”の形態の空隙２０を、干渉素子Ｉ及び透明キャリア材すなわち基板Ｓを通して見ることができる。反射層Ｒの背後に配置され、したがって平面図では見ることができない磁性層Ｍは、図８ではバーコードを形成し、点−ダッシュパターンで薄めに印されている部分領域１１に存在するだけである。
【００３７】
図８に示される中間製品１００は、例えば銀行券に埋め込むための、セキュリティスレッド２００を形成するために、その後の製造工程において分離線１０１に沿って切り離される。反射層Ｒに空隙２０で形成された文字“ＰＬ”は、銀行券に埋め込まれたセキュリティスレッドにおいて入射光ではほとんど認められないが、透過光では陰刻として認知できる。
【００３８】
図７及び８で説明したような構造をもつセキュリティスレッドは、少なくとも直接に見ることができるかまたは表面に表れる場所に存在するように印刷物に埋め込まれるセキュリティウインドウスレッドとしての使用に特に適している。このことが、例として銀行券３００の断面により図９に示されている。セキュリティスレッドの領域における窓の形成の下で紙にセキュリティスレッド２００を埋め込むための方法は、例えば独国特許発明第Ａ３６０１１１４号明細書に記載されている。そのようにして埋め込まれたスレッドでは、入射光で見ると、主として回折構造または反射パターンが窓領域に見えるが、透過光で見ると、金属コーティングに存在する陰刻が卓越する。いずれの場合にも、干渉層構造により生じる色遷移効果は認知可能なままである。
【００３９】
すなわち、本発明のセキュリティ素子では、最も単純な実施形態において、３つのセキュリティ要素が互いに最適な態様で組み合されている。すなわち、一方では色遷移効果が、その電気伝導性が第２のセキュリティ要素を形成する最適な反射性金属層と組み合され、最後に、他のセキュリティ要素に悪影響を与えずに最適に調節することができる特性を有する磁性セキュリティ要素が組み合される。
【００４０】
別のセキュリティ要素を、パターンまたはシンボルを形成するような反射層の部分的除去及び／又はコード、例えばバーコードを形成するような磁性層の部分的除去により、また、既存の反射層Ｒに接することが好ましい、特に型押構造の形態の、回折構造との組み合せにより、本発明のセキュリティ素子と組み合せることができる。
【００４１】
本発明のセキュリティ素子の好ましい使用分野の１つをセキュリティスレッドとして、特に色遷移効果及び陰刻をもつ機械読取可能な磁気−ホログラムセキュリティウインドウスレッドとして上に述べた。しかし、本発明のセキュリティ素子は、ストライプまたは面素子として、物体、特に有価印刷物、好ましくは銀行券に接着することもでき、あるいは別の方法において、例えば箔押法により、基板付または基板なしで物体に移載することができる。
【図面の簡単な説明】
【００４２】
【図１】本発明のセキュリティ素子の層順を簡略に示す
【図２】層構造内のある場所に配されている型押回折構造をもつ基板と組み合された本発明のセキュリティ素子の層構造を示す
【図３】層構造内の別の場所に配されている型押回折構造をもつ基板と組み合された本発明のセキュリティ素子の層構造を示す
【図４】層構造内のさらに別の場所に配されている型押回折構造をもつ基板と組み合された本発明のセキュリティ素子の層構造を示す
【図５】層構造内のさらに別の場所に配されている型押回折構造をもつ基板と組み合された本発明のセキュリティ素子の層構造を示す
【図６】層構造内のさらに別の場所に配されている型押回折構造をもつ基板と組み合された本発明のセキュリティ素子の層構造を示す
【図７】磁性層と反射層に空隙をもつ、図４にしたがうセキュリティ素子の層構造を示す
【図８】図７にしたがう層構造をもついくつかの連結されたセキュリティ素子による半完成品を平面図で示す
【図９】銀行券のウインドウスレッドとして埋め込まれたセキュリティスレッドの断面を示す
【符号の説明】
【００４３】
１    セキュリティ素子
２    回折構造
１０，２０    空隙
１１  磁気バーコード
２００  セキュリティスレッド
３００  銀行券
Ａ    吸収体層
Ｄ    誘電体層
Ｉ    多層干渉素子
Ｍ    磁性層
Ｌ    ラッカー層
Ｒ    反射層
Ｓ    基板
【図１】
0004611633.tif 000002
【図２】
0004611633.tif 000003
【図３】
0004611633.tif 000004
【図４】
0004611633.tif 000005
【図５】
0004611633.tif 000006
【図６】
0004611633.tif 000007
【図７】
0004611633.tif 000008
【図８】
0004611633.tif 000009
【図９】
0004611633.tif 000010